(57)【要約】【課題】起立時の幅木では隠れる建物の外壁の部位に、幅木を取り外すことなく、塗装等の外壁工事を容易に行うことができるようにするとともに、該外壁工事が終わったときには幅木が起立して幅木の機能を確実に果たすことができる足場、その足場に用いられる幅木を含む幅木塞板複合体及びその足場を使用する外壁工事方法を提供することを目的とする。【解決手段】縦立する複数の支柱１１と、複数の支柱１１間に架設された足場板１５と、足場板１５の長手方向に沿うように設けられた幅木４０とを備えた足場１０であって、幅木４０は、起立するよう付勢する付勢部材を有し、この付勢に抗して足場板１５側に倒せるように設けられていることを特徴とする足場。【選択図】図１
2011089375.tif 000002
【特許請求の範囲】
【請求項１】
縦立する複数の支柱と、前記複数の支柱間に架設された足場板と、前記足場板の長手方向に沿うように設けられた幅木とを備えた足場であって、前記幅木は、起立するよう付勢する付勢部材を有し、前記付勢に抗して前記足場板側に倒せるように設けられていることを特徴とする足場。
【請求項２】
前記幅木を倒すことが不要なときに起立した状態に固定する起立固定機構を備えている請求項１記載の足場。
【請求項３】
前記幅木は、該幅木と前記足場板との隙間を塞ぐ塞板に、回動可能に取着されている請求項１又は２記載の足場。
【請求項４】
前記塞板の側端部が前記足場板の側端部の上に乗るようになっている請求項３記載の足場。
【請求項５】
前記幅木と前記塞板とが一体で、足場に着脱可能に設けられている請求項３又は４記載の足場。
【請求項６】
前記幅木を倒して前記塞板に伏せた状態に固定する倒伏固定機構を備えている請求項５記載の足場。
【請求項７】
縦立する複数の支柱と、前記複数の支柱間に架設された足場板とを備えた足場に用いられる幅木塞板複合体であって、
前記足場板の長手方向に沿うように設けられ、起立するよう付勢する付勢部材を有し、前記付勢に抗して前記足場板側に倒せる幅木と、
前記幅木と前記足場板との隙間を塞ぎ、前記幅木を回動可能に取着している塞板とを含む幅木塞板複合体。
【請求項８】
縦立する複数の支柱と、前記複数の支柱間に架設された足場板と、前記足場板の長手方向に沿うように設けられた幅木とを備えた足場であって、前記幅木は、起立するよう付勢する付勢部材を有し、前記付勢に抗して前記足場板側に倒せるように設けられている足場を使用し、
前記幅木を前記付勢に抗して前記足場板側に倒した状態で、起立時の幅木では隠れる建物の外壁の部位の外壁工事を行い、該外壁工事が終わったときには前記幅木を前記付勢により起立させることを特徴とする足場を使用する外壁工事方法。
【発明の詳細な説明】
【技術分野】
【０００１】
本発明は、建築現場等で使用する足場と、その足場に用いられる幅木を含む幅木塞板複合体と、その足場を使用する外壁工事方法に関するものである。
【背景技術】
【０００２】
従来、建築現場等で高所作業をするために使用される足場は、複数の支柱を縦立させ、その間に平板状の足場板を渡したものを使用していた。そして、足場には、作業者が足場板等から墜落する事故を防止する目的で手摺又は交差筋交を設けることが義務付けられていた。
【０００３】
ところが、近年、建設業等において、高所からの作業者の墜落・転落による事故が多発していることから、足場等からの墜落等を防止する対策の強化を図るため、労働安全衛生規則の一部が改正された。これにより、足場には、手摺又は交差筋交を設けるとともに、さらに幅木等を取り付けることが義務付けられるようになった。
【０００４】
しかし、今回、取り付けが義務付けられた幅木は高さが１０ｃｍ以上（足場によっては１５ｃｍ以上）と幅広であり、現実には高さ２０〜２５ｃｍの幅木が多く使用されていることから、塗装やタイル張り等の建物の外壁工事を行う場合等には、幅木が邪魔になることがある上に、幅木によって隠れた外壁の部位に塗装等を行う場合には、その都度、幅木を取り外す必要があった。
【０００５】
一方、足場に用いられる幅木としては、様々なものが提案されている。例えば、特許文献１、２記載のように足場板に取り付けて用いるものや、特許文献３、４記載のように支柱に取り付けて用いるものがある。また、特許文献５記載のように、ヒンジを介して足場板に取り付けられているものもある。
【０００６】
しかしながら、特許文献１〜４記載の幅木は、足場に着脱可能に取り付けられてはいるものの、幅木そのものが落下しないようにしなくてはいけないため、着脱には時間がかかり、塗装等の作業性を低下させるものである上、作業後に取り付けを忘れてしまうおそれがあった。また、特許文献５記載の幅木は、ヒンジにより回動可能に足場に取り付けられていることから、容易に幅木を倒伏させて作業を行うことはできるものの、やはり作業後に、幅木を起立し忘れるおそれがあった。
【先行技術文献】
【特許文献】
【０００７】
【特許文献１】特開２００８−１６９５５７号公報
【特許文献２】特開２００１−２２７１５６号公報
【特許文献３】特開２００７−２４７２６１号公報
【特許文献４】登録実用新案第３１５１９０９号公報
【特許文献５】登録実用新案第３１３５１９８号公報
【発明の概要】
【発明が解決しようとする課題】
【０００８】
そこで、本発明は、起立時の幅木では隠れる建物の外壁の部位に、幅木を取り外すことなく、塗装等の外壁工事を容易に行うことができるようにするとともに、該外壁工事が終わったときには幅木が起立して幅木の機能を確実に果たすことができる足場、その足場に用いられる幅木を含む幅木塞板複合体及びその足場を使用する外壁工事方法を提供することを目的とする。
【課題を解決するための手段】
【０００９】
上記課題を解決するために、本発明の足場は、縦立する複数の支柱と、前記複数の支柱間に架設された足場板と、前記足場板の長手方向に沿うように設けられた幅木とを備えた足場であって、前記幅木は、起立するよう付勢する付勢部材を有し、前記付勢に抗して前記足場板側に倒せるように（可倒に）設けられていることを特徴とする。
【００１０】
ここで、足場の態様としては、特に限定はされないが、二本の柱とそれらを繋ぐ横架材とにより門型に形成されたものを支柱等として用いた枠組足場や、建地（支柱）、布地及び腕木（横架材）等に鋼管を用いた単管足場等が例示できる。
【００１１】
また、付勢部材としては、特に限定はされないが、ゴム、バネ等の弾性体や、空気バネ等の弾性装置や、ソレノイド等のアクチュエータ等が例示でき、構成が簡便である点で弾性体が好ましい。
【００１２】
幅木を倒すことが不要なときに起立した状態に固定する起立固定機構を備えていることが好ましい。幅木が作業者の不意な接触等によっても倒れないようにするためである。
【００１３】
幅木を設ける（従って支える）相手部材は、特に限定はされず、例えば足場板、柱、横架材等のいずれでもよいが（これらに回動可能に取着する態様が好ましい。）、該幅木と足場板との隙間を塞ぐ塞板が好ましい（さらに塞板に回動可能に取着する態様が好ましい。）。塞板は該隙間から工具等の物が落下するのを防ぐためのものであるが、この塞板に幅木を回動可能に取着することで前記可倒を容易に実施できるからである。
【００１４】
塞板の側端部が足場板の側端部の上に乗るようになっていることが好ましい。塞板の上を作業者が歩いたり、作業者が幅木を足で踏み倒して塞板に押し当てたりしたときに、塞板が撓まないようにするためである。
【００１５】
幅木と塞板とが一体で、足場に着脱可能に設けられていることが好ましい。幅木と塞板とを一体で扱えるので、足場を組み立てたり分解したりするときに手間が軽減されるからである。
【００１６】
幅木を倒して塞板に伏せた状態に固定する倒伏固定機構を備えていることが好ましい。上記のように足場から幅木と塞板とを取り外して運搬するときに、幅木と塞板との幅木塞板複合体を嵩張らないようにできるからである。
【００１７】
本発明の幅木塞板複合体は、縦立する複数の支柱と、前記複数の支柱間に架設された足場板とを備えた足場に用いられる幅木塞板複合体であって、前記足場板の長手方向に沿うように設けられ、起立するよう付勢する付勢部材を有し、前記付勢に抗して前記足場板側に倒せる（可倒）幅木と、前記幅木と前記足場板との隙間を塞ぎ、前記幅木を回動可能に取着している塞板とを含む。
【００１８】
次に、本発明に係る足場を使用する外壁工事方法は、縦立する複数の支柱と、前記複数の支柱間に架設された足場板と、前記足場板の長手方向に沿うように設けられた幅木とを備えた足場であって、前記幅木は、起立するよう付勢する付勢部材を有し、前記付勢に抗して前記足場板側に倒せるように（可倒に）設けられている足場を使用し、前記幅木を前記付勢に抗して前記足場板側に倒した状態で、起立時の幅木では隠れる建物の外壁の部位の外壁工事を行い、該外壁工事が終わったときには前記幅木を前記付勢により起立させることを特徴とする。
【００１９】
ここで、外壁工事としては、特に限定はされないが、塗装工事、タイル張り工事等を例示できる。幅木を前記付勢に抗して足場板側に倒す方法としては、特に限定はされないが、足で踏み倒すのが最も簡単である。
【発明の効果】
【００２０】
本発明の足場、その足場に用いられる幅木を含む幅木塞板複合体及びその足場を使用する外壁工事方法によれば、起立時の幅木では隠れる建物の外壁の部位に、幅木を取り外すのではなく倒すことにより、塗装等の外壁工事を容易に行うことができるとともに、該外壁工事が終わって幅木を倒すのをやめたときには、幅木が付勢部材による付勢により起立して幅木の機能を確実に果たすことができる。
【図面の簡単な説明】
【００２１】
【図１】本発明の実施例１の足場の一部の斜視図である。
【図２】同足場の幅木塞板複合体の斜視図である。
【図３】同幅木塞板複合体の起立固定機構の操作の説明図である。
【図４】同幅木塞板複合体の可倒幅木を倒伏させた状態の斜視図である。
【図５】同可倒幅木を足で倒伏させるときの側面図である。
【図６】同足場を用いた外壁塗装作業の模式図である。
【図７】本発明の実施例２の足場の一部の斜視図である。
【図８】同足場の幅木塞板複合体の斜視図である。
【図９】同幅木塞板複合体の起立固定機構の操作の説明図である。
【図１０】同幅木塞板複合体の可倒幅木を倒伏させた状態の斜視図である。
【図１１】同幅木塞板複合体の倒伏固定機構の操作の説明図である。
【図１２】同幅木塞板複合体のスライドフックの説明図である。
【発明を実施するための形態】
【実施例１】
【００２２】
本実施例の足場１０は、建物等の建築工事等に伴い、建物の外壁５に沿って仮設されている。この足場１０について、図１〜図６を用いて説明する。
【００２３】
図１に示すように、本実施例の足場１０は、互いに平行な二本の柱１２とその二本の柱１２を繋ぐ横架材１３とにより門型に形成された支柱１１を用いた枠組足場である。そして、足場１０は、互いに平行に縦立する複数の支柱１１と、互いに隣り合う支柱１１間に架設された複数の足場板１５と、互いに隣り合う支柱１１間に架設された複数の交差筋交１８と、それぞれの足場板１５の長手方向に沿うよう設けられた可倒幅木４０と、可倒幅木４０と足場板１５との隙間を塞ぐ塞板２１とを備えている。
【００２４】
支柱１１は、各柱１２と横架材１３とを補強管１４で連結することにより、補強されている。また、下に位置する支柱１１の柱１２の上端に、上に位置する支柱１１の柱１２の下端を接合することで上方へと延びている。さらに、それぞれ隣り合う支柱１１同士は、一枚の足場板１５が横架材１３間に架設され、その足場板１５を挿んで対向する一対の交差筋交１８がそれぞれ柱１２間に架設されている。隣り合う支柱１１同士は、足場板１５及び交差筋交１８が架設されることで補強されている。
【００２５】
足場板１５は、矩形状の板であって、長手方向の両端部には、横架材１３に支持されるための複数（両端部にそれぞれ二個）の嘴状の足場フック１６が長手方向に突設されている。また、外壁５側と反対の端には長手方向に沿うよう固定幅木１７が上方に突設されている。
【００２６】
交差筋交１８は、二本の棒状の筋交棒１９からなり、二本の筋交棒１９は互いに略中央で交差している。また、各筋交棒１９の一端は隣り合う支柱１１の一方の支柱１１の柱１２の上部に取着し、他端は他方の支柱１１の柱１２の下部に取着している。
【００２７】
可倒幅木４０と塞板２１とは、可倒幅木４０が塞板２１に蝶番３０を介して回動可能に取着されていることにより、幅木塞板複合体２０（以下、単に「複合体」という）を構成しており、もって可倒幅木４０と塞板２１とは複合体２０として一体で、足場１０に着脱可能に設けられている（より具体的には隣り合う支柱１１間に架設されている）。
【００２８】
塞板２１は、強度を高めて撓みを防止するため、可倒幅木４０が取着している側の端には、上方へ隆起した補強部２２が折曲により形成されているとともに、長手方向の両端及び中間の下面には、それぞれ角柱状の補強材２３が取り付けられている。そして、両端の補強材２３には、複合体２０が横架材１３に支持されるための複数（各補強材２３に二個）の嘴状の塞板フック２４がそれぞれ塞板２１の長手方向に突設されている。そして、この塞板フック２４を横架材１３に掛けたり外したりすることで、複合体２０は足場１０に着脱可能になっている。また、塞板２１は、補強部２２が形成されている側と反対の端に、隣接する足場板１５との間に隙間が生じないよう、足場板１５の上面の一部を覆う覆部２５が折曲により形成されている。そして、覆部２５は、足場板１５の側端部の上に乗っている。補強部２２の長手方向の両端付近には、それぞれ蝶番３０が取り付けられているとともに、可倒幅木４０を起立した状態に固定する固定ピン３６を挿通するための通孔２６が穿設されている。
【００２９】
蝶番３０は、軸部３１に二つのねじりコイルバネ３２が組み込まれたスプリング蝶番であり、ねじりコイルバネ３２により軸部３１を中心に両片３３、３４が互いに展開するように付勢されている。そして両片３３、３４のうち、一方の片３３は塞板２１に、他方の片３４は可倒幅木４０にそれぞれ取り付けられている。
【００３０】
可倒幅木４０は、起立時に柱１２の内側も覆えるよう、塞板２１より長くなっているとともに、倒伏時に柱１２と干渉しないよう、長手方向の両端には切欠が設けられている。また、強度を高めて撓みを防止するため、幅方向の両端には鉤状に折曲された鉤曲部４１が形成され、塞板２１側の面である内面４２には、その長手方向の両端にそれぞれ角柱状の補強棒４３が取り付けられているとともに、幅方向の中間部には、断面がコ字状の補強体４４が可倒幅木４０の長手方向に延設されている。補強体４４は、可倒幅木４０の倒伏時に塞板２１に当接するようになっており、倒伏時、横架材１３と干渉しないよう長手方向の両端には切欠が設けられている。また、可倒幅木４０は、内面４２に蝶番３０の片３４が取り付けられており、内面４２と反対側の外面４５は、略平滑になっている。また、鉤曲部４１のうち、起立時に下側になる方には、塞板２１の通孔２６に対応する位置に固定ピン３６を挿通するためのピン孔４６が穿設されている。
【００３１】
固定ピン３６は、円柱状のピン部３７とピン部３７より拡径した頭部３８とを有し、可倒幅木４０の起立時には、ピン部３７を通孔２６及びピン孔４６に挿通して、可倒幅木４０及び塞板２１を貫通している。これら３６、２６、４６が、可倒幅木４０を倒すことが不要なときに起立した状態に固定する起立固定機構３９を構成している。
【００３２】
次に、可倒幅木４０を、図１に示すように、起立して固定されている状態から、図４に示すように、水平に倒伏している状態に変移させる仕方について説明する。
【００３３】
可倒幅木４０は、図１に示すように、通常は、ねじりコイルバネ３２の付勢力により起立している。そして、図３ａに示すように、起立時に下側となる鉤曲部４１が塞板２１に当接することで、略直立するようになっている。また、この状態で固定されるよう、固定ピン３６が可倒幅木４０及び塞板２１を貫通している。
【００３４】
先ず、可倒幅木４０が固定された状態から、図３ｂに示すように、固定ピン３６を通孔２６及びピン孔４６から抜脱して、可倒幅木４０を倒伏可能な状態にする。そして、この状態で、図５に示すように、足７等で、外面４５を押圧することにより、可倒幅木４０は、ねじりコイルバネ３２の付勢力に抗して足場板１５側に傾き、このまま外面４５の押圧を続けることで、図４に示すように、可倒幅木４０は、外面４５が略水平になるよう倒伏する。
【００３５】
一方、外面４５の押圧をやめると、可倒幅木４０は、ねじりコイルバネ３２の付勢力により、略垂直に起立した状態へと戻る。
【００３６】
本実施例の足場１０によれば、次の（ａ）〜（ｆ）の効果を得ることができる。
（ａ）図５に示すように、足７等で外面４５を押圧することにより、可倒幅木４０を容易に倒伏させることができる。
（ｂ）可倒幅木４０を倒伏させることで、図６に示すように、複合体２０を外すことなく、可倒幅木４０が覆い被さることで隠れていた建物の外壁５の部位にスプレーガン６を用いて容易にスプレー塗装を行うことができる。
（ｃ）外面４５の押圧を止めることで、可倒幅木４０が自動的に起立することから、幅木が覆い被さる外壁５の部位への工事が終わった後に、幅木を設置（起立）し忘れることがなくなる。
（ｄ）塞板２１を設けることで、足場板１５と可倒幅木４０との間に隙間ができないことから、工具や資材等の落下を防止することができる。
（ｅ）可倒幅木４０と塞板２１とが一体の複合体２０として足場１０に着脱可能に設けられていることから、足場１０を組み立てたり分解したりするときの手間を軽減できる。
（ｆ）可倒幅木４０は起立した状態で起立固定機構３９により固定されることから、幅木が覆い被さる外壁５の部位への工事を行わないときには、誤って可倒幅木４０を倒伏すことがなく、幅木としての機能を果たすことができる。
【実施例２】
【００３７】
本実施例の足場５０は、建物等の建築工事等に伴い、建物の外壁５に沿って仮設されている。この足場５０は、複合体６０以外は、実施例１の足場１０と同じであることから、主に複合体６０について、図７〜図１２を用いて説明する。
【００３８】
複合体６０は、可倒幅木８０が塞板６１に蝶番７０を介して回動可能に取着されていることにより構成されている。複合体６０は、足場５０に着脱可能に設けられており、可倒幅木８０と塞板６１とは複合体６０として一体で、足場５０に着脱可能に設けられている（より具体的には隣り合う支柱１１間に架設されている）。
【００３９】
塞板６１は、強度を高めて撓みを防止するため、補強加工が施されている。具体的には、可倒幅木８０が取着している側の端は、上方へ隆起した補強部６２が折曲により形成され、反対側の側端部５９は、下方へとコ字状に折曲されている。また、下面には、長手方向の両端及び中間にそれぞれ角柱状の補強材６３が取り付けられ、可倒幅木８０が取着している側の端に、長手方向へと延びる断面がコ字状の長手補強材６５が取り付けられている。両端の補強材６３には、複合体６０が横架材１３に支持されるための塞板フック６４、６７がそれぞれ塞板６１の長手方向に突設されている。そして、この塞板フック６４、６７を横架材１３に掛けたり外したりすることで、複合体６０は足場１０に着脱可能になっている。補強部６２の長手方向の両端付近には、それぞれ蝶番７０が取り付けられている。また、塞板６１の長手方向の中間部には、可倒幅木８０を起立した状態に固定する起立固定機構７６の一部が設けられ、上面には、後述する係合プレート８７の爪部８７ａが挿入される爪穴８９が開口している。塞板６１は、側端部５９が足場板１５の側端部の上に乗っている。
【００４０】
塞板６１に設けられている起立固定機構７６の一部は、補強部６２の中間部に設けられた通孔６６内を左右にスライドできるスライドプレート７７であり、スライドプレート７７は、ネジ７８により塞板６１にスライド可能に鋲着されている。このスライドプレート７７と後述する係合片８４とが、可倒幅木８０を倒すことが不要なときに起立した状態に固定する起立固定機構７６を構成している。
【００４１】
塞板フック６４、６７のうち、一方は、横架材１３を上下から挟持するよう断面がコ字状をした固定フック６４であり、他方は、補強材６３に取り付けられ、横架材１３の外周に沿う半円筒状で横架材１３を上方から覆うフックベース６８と、フックベース６８の外周を横架材１３の周方向へとスライド可能なスライドパーツ６９とを備え、フックベース６８とスライドパーツ６９とにより横架材１３を把持するスライドフック６７である。
【００４２】
蝶番７０は、軸部７１に一つのねじりコイルバネ７２が組み込まれたスプリング蝶番であり、ねじりコイルバネ７２により軸部７１を中心に両片７３、７４が互いに展開するように付勢されている。そして両片７３、７４のうち、一方の片７３は塞板６１に、他方の片７４は可倒幅木８０にそれぞれ取り付けられている。また、軸部７１は、一端が拡径し、他端にＣリング７５が嵌着することで、脱落防止が図られている。また、Ｃリング７５を外すことで、容易に抜脱でき、ねじりコイルバネ７２の交換等が行えるようになっている。
【００４３】
可倒幅木８０は、起立時に柱１２の内側も覆えるよう、塞板６１より長くなっているとともに、倒伏時に柱１２と干渉しないよう、長手方向の両端には切欠が設けられている。また、強度を高めて撓みを防止するため、４辺にはそれぞれ鉤状に折曲された鉤曲部８１、８３が形成されている。また、可倒幅木８０は、塞板６１側の面である内面８２に蝶番７０の片７４が取り付けられており、内面８２と反対側の外面８５は、略平滑になっている。長手方向の鉤曲部８１のうち、起立時に下側になる方には、塞板６１の通孔６６に対応する位置に、スライドプレート７７に係合する、係合片８４が形成されている。他方の長手方向の鉤曲部８１の中間付近には、複合体６０の運搬時等に、可倒幅木８０を倒して塞板６１に伏せた状態に固定する倒伏固定機構８６の一部が設けられている。
【００４４】
可倒幅木４０に設けられている倒伏固定機構８６の一部は、折曲形成され、可倒幅木８０に対し相対移動できる係合プレート８７であり、係合プレート８７は、ネジ８８により可倒幅木８０にスライド可能に鋲着されている。この係合プレート８７と爪穴８９とが、可倒幅木８０を倒して塞板６１に伏せた状態に固定する倒伏固定機構８６を構成している。
【００４５】
次に、可倒幅木８０を、図７に示すように、起立して固定されている状態から、図１０に示すように、水平に倒伏している状態に変移させる仕方について説明する。
【００４６】
可倒幅木８０は、図７に示すように、通常は、ねじりコイルバネ３２の付勢力により起立している。そして、図８に示すように、起立時に下側となる鉤曲部８１が塞板６１に当接することで、略直立するようになっている。また、この状態で固定されるよう、図９ａに示すように、スライドプレート７７が係合片８４に係合している。
【００４７】
先ず、可倒幅木４０が固定された状態から、図９ｂに示すようにスライドプレート７７をスライドして、スライドプレート７７と係合片８４との係合を外し、可倒幅木８０を倒伏可能な状態にする。そして、この状態で、外面８５を押圧することにより、可倒幅木８０は、ねじりコイルバネ７２の付勢力に抗して足場板１５側に傾き、このまま外面８５の押圧を続けることで、図１０に示すように、可倒幅木８０は、外面８５が略水平になるよう倒伏する。
【００４８】
一方、外面８５の押圧をやめると、可倒幅木８０は、ねじりコイルバネ７２の付勢力により、略垂直に起立した状態へと戻る。
【００４９】
次に、倒伏固定機構８６について説明する。可倒幅木８０の倒伏時には、図１１のａ１、ｂ１に示すように、係合プレート８７の爪部８７ａが爪穴８９内に挿入される。そして、この状態で、係合プレート８７をスライドさせることにより、図１１のａ２、ｂ２に示すように、爪部８７ａが爪穴８９の周囲に係合し、可倒幅木８０の起立が規制される。一方、係合プレート８７を逆方向にスライドさせることで、爪部８７ａは爪穴８９の周囲との係合が外れ、可倒幅木８０は、ねじりコイルバネ７２の付勢力により起立する。
【００５０】
次に、スライドフック６７について図１２を用いて説明する。フックベース６８は、半円筒状の本体部６８ａと、本体部６８ａの外壁から突設した接合片６８ｂとからなり、接合片６８ｂには、スライドパーツ６９が挿通する開口６８ｃが設けられている。スライドパーツ６９は、本体部６８ａの外周面に沿うに湾曲した短冊状であり、上端には、摘み部６９ｅがあり、下端には丸棒６９ｄが取着している。下端に丸棒６９ｄが取着しているため、スライドパーツ６９は、下方へと移動しようとする。そのため、スライドフック６７は、図１２のｂ１に示すように、横架材１３をフックベース６８とスライドパーツ６９とで把持している。一方、摘み部６９ｅを上方へと押すことで、図１２のｂ２に示すように、スライドパーツ６９は移動し、横架材１３を開放する。
【００５１】
本実施例の足場５０によれば、実施例１で得られる効果に加え、次の（ｇ）〜（ｉ）の効果を得ることができる。
（ｇ）塞板６１が足場板１５の上面に乗ることから、横架材の長さの制約がなく、従来使用していた足場板や支柱等をそのまま利用することができる。また、塞板６１の上を作業者が歩いたり、作業者が可倒幅木８０を足７で踏み倒して塞板６１に押し当てたりしたときに、塞板６１が撓むことを防止できる。
（ｈ）倒伏固定機構８６により、運搬時や保管時等に、可倒幅木８０が起立しないことから、複合体６０は嵩張らず、その運搬及び保管が容易である。
（ｉ）横架材１３をスライドフック６７が把持することから、使用時に複合体６０が足場５０から外れ落下するおそれがない一方、足場５０の解体時等に複合体６０を足場５０から取り外すのが容易である。
【００５２】
本発明は、前記実施例に限定されるものではなく、発明の趣旨から逸脱しない範囲で、次のように適宜変更して具体化することもできる。
・足場を枠組足場以外の足場（例えば単管足場等）にする。なお、その場合には、交差筋交のかわりに、手摺及び中さん等を設ける。
・足場板を固定幅木がない平板状のものにし、足場板の幅方向の両側方に複合体を設ける。
【符号の説明】
【００５３】
１０    足場
１１    支柱
１５    足場板
２０    複合体（幅木塞板複合体）
２１    塞板
３２    ねじりコイルバネ
３９    起立固定機構
４０    可倒幅木
５０    足場
６０    複合体（幅木塞板複合体）
６１    塞板
７２    ねじりコイルバネ
７６    起立固定機構
８０    可倒幅木
８６    倒伏固定機構
【図１】
2011089375.tif 000003
【図２】
2011089375.tif 000004
【図３】
2011089375.tif 000005
【図４】
2011089375.tif 000006
【図５】
2011089375.tif 000007
【図６】
2011089375.tif 000008
【図７】
2011089375.tif 000009
【図８】
2011089375.tif 000010
【図９】
2011089375.tif 000011
【図１０】
2011089375.tif 000012
【図１１】
2011089375.tif 000013
【図１２】
2011089375.tif 000014